(57)【要約】      （修正有）【課題】使用済みの飲料材料を便利に取り除き、且つ飲料の濃度を便利に調整できる飲料調製容器を提供する。【解決手段】液体収容空間４４を囲み、液体収容空間４４と連通させるメイン開口４４１が形成される容器本体４と、メイン開口４４１を封止できる容器蓋５とを具える飲料調製容器であって、容器蓋５は、メイン開口４４１に収容されると共に、飲料材料６を収容できる材料収容空間を保持壁で囲む材料保持ケース５４と、メイン開口４４１を封止できると共に、飲料材料６に調製される飲料の濃度を調整するための計時手段５３が配置される蓋本体５１とを有しており、蓋本体５１には、メイン開口４４１内に突起し、係合溝５１２が凹設される第１の係合部５１１が形成されており、前記保持壁には、係合溝５１２に嵌め込んで第１の係合部５１１と取り外し可能に係合できる第２の係合部が形成される。【選択図】図２
0003205130.tif 000002
【実用新案登録請求の範囲】
【請求項１】
液体を収容できる液体収容空間を囲み、且つ前記液体収容空間と外部の空間とを連通させるメイン開口が形成されている容器本体の前記メイン開口を覆って取り外し可能に封止することができる容器蓋であって、
前記メイン開口に収容されると共に、飲料を調製するための飲料材料を収容できる材料収容空間を保持壁で囲む材料保持ケースと、
前記メイン開口を覆って取り外し可能に封止できると共に、前記飲料材料によって調製される飲料の濃度を調整するための計時手段が配置されている蓋本体と、を有し
前記蓋本体には、前記蓋本体が前記メイン開口を覆って封止する際、前記蓋本体から前記メイン開口を経由して前記液体収容空間内に挿し込まれるように突起し、且つ側面に係合溝が凹設されている第１の係合部が形成されており、
前記材料保持ケースの前記保持壁には、前記第１の係合部の前記係合溝に嵌め込んで前記第１の係合部と取り外し可能に係合できる第２の係合部が形成されていることを特徴とする容器蓋。
【請求項２】
前記材料保持ケースの前記保持壁の一端部は略円形の周縁を有し、前記第２の係合部は、該略円形の周縁から外側へ張り出す環状のフランジ状に形成されており、
前記蓋本体に形成された前記第１の係合部は、フランジ状に形成された前記第２の係合部に対応する円弧に沿って延伸し、且つ該円弧の中心角が１８０°以下になっており、前記係合溝は、前記第１の係合部の延伸方向である前記円弧の内側の側面に凹設されていることを特徴とする請求項１に記載の容器蓋。
【請求項３】
前記計時手段は、回転初期位置から所定の回転方向へ回転操作可能に前記蓋本体に配置されているロータリースイッチと、
前記蓋本体内に配置され且つ前記ロータリースイッチと連動し、前記ロータリースイッチに対する前記所定の回転方向への回転操作により巻かれてエネルギーを貯蔵し、該回転操作が終了すると、前記ロータリースイッチと共に前記回転初期位置へ徐々に巻き戻す渦巻ばねと、
前記蓋本体内に配置されると共に、前記ロータリースイッチが前記回転初期位置に戻ると提示音を発する提示音発生機構と、を有していることを特徴とする請求項１に記載の容器蓋。
【請求項４】
前記計時手段の前記ロータリースイッチは、前記蓋本体外に露出して回転操作されることができる操作部と、時間の目盛りとなると共に前記操作部と連結して同期して回転し、且つ、前記蓋本体内に配置されている時間表示部と、を有しており、
前記蓋本体には、前記時間表示部が有する前記時間の目盛りにおける前記ロータリースイッチが前記渦巻ばねの巻き戻しにより前記回転初期位置に到達するまでの時間に対応する箇所を目視できるように覗き孔が形成されており、
前記提示音発生機構は、
前記蓋本体内において回転可能且つ前記渦巻ばねと連動するように配置されていると共に、外周面に作動ノッチが凹設される回転可能なノッチホイールと、
打撃されると前記提示音を発生するベルと、
前記蓋本体に固定されている固定端と、前記固定端の反対側にあって揺動して前記ベルを打撃することができる打撃端と、前記固定端と前記打撃端とを連結する揺動アームとを有している打撃部材と、
前記ノッチホイールの前記外周面と前記打撃部材の前記揺動アームとの間に介在し、且つ前記ロータリースイッチが前記渦巻ばねの巻き戻しにより前記回転初期位置に到達すると、前記ノッチホイールに凹設される前記作動ノッチに嵌め込むように移動することにより、前記打撃部材が有する前記揺動アームを動かして前記打撃端を前記ベルに打撃させる作動部材と、を有しており、
また、前記計時手段は、
互いに連動する前記ロータリースイッチと前記渦巻ばねと前記ノッチホイールとの間に介在し、前記ロータリースイッチと前記渦巻ばねと前記ノッチホイールとの回転速度を調整する複数の歯車を更に有していることを特徴とする請求項３に記載の容器蓋。
【請求項５】
前記材料保持ケースの前記保持壁には、多数の網目が形成されていることを特徴とする請求項２に記載の容器蓋。
【請求項６】
前記材料保持ケースの前記保持壁には、前記材料収容空間と連通する材料入れ口が形成されており、前記材料保持ケースは、網状に形成されていると共に、蓋として前記材料入れ口を覆う網蓋を更に有していることを特徴とする請求項５に記載の容器蓋。
【請求項７】
前記材料保持ケースは、前記保持壁及び前記網蓋を含むケース本体を密閉包装する密封材を更に有していることを特徴とする請求項６に記載の容器蓋。
【請求項８】
液体を収容できる液体収容空間を囲み、且つ前記液体収容空間と外部の空間とを連通させるメイン開口が形成されている容器本体と、
前記メイン開口を覆って封止することができる請求項１〜７の何れか一項に記載の容器蓋と、を具えていることを特徴とする飲料調製容器。
【請求項９】
前記容器本体は、前記メイン開口の反対側に、前記容器本体及び前記容器蓋全体を支持することができる底端面を有しており、
前記容器蓋には、前記容器本体の前記メイン開口を覆って封止する際、前記底端面の反対側に形成され、前記容器本体及び前記容器蓋全体を支持することができる頂端面を有していることを特徴とする請求項８に記載の飲料調製容器。
【請求項１０】
前記容器本体は、
奥行き方向において前記メイン開口の反対側に配置されている第１の支持底面と、
前記第１の支持底面の周縁から前記奥行き方向において前記メイン開口に近づくと共に、前記奥行き方向と直交する幅方向において前記メイン開口から遠ざかる方向へ延伸する第２の支持底面と、
前記幅方向における前記第２の支持底面の近くに配置されている取っ手と、
前記幅方向において前記メイン開口より前記取っ手から離れた箇所で前記メイン開口の隣に形成された飲料注ぎ口と、
を有していることを特徴とする請求項８に記載の飲料調整容器。
【請求項１１】
容器本体を封止する容器蓋に取り外し可能に取り付けて用いるための材料保持ケースであって、
飲料を調製するための飲料材料を収容できる材料収容空間を囲む保持壁を具えており、
前記保持壁は、前記保持壁の一端部に形成された略円形の周縁及び該略円形の周縁から外側へ張り出すと共に、前記容器蓋に形成された係合溝に取り外し可能に取り付けられる環状の係合フランジとを備え、多数の網目が形成されていることを特徴とする材料保持ケース。
【請求項１２】
前記保持壁には、前記材料収容空間と連通する材料入れ口が形成されており、
網状に形成されていると共に、蓋として前記材料入れ口を覆う網蓋を更に有していることを特徴とする請求項１１に記載の材料保持ケース。
【請求項１３】
前記保持壁及び前記網蓋を含むケース本体を密閉包装する密封材を更に有していることを特徴とする請求項１２に記載の材料保持ケース。
【考案の詳細な説明】
【技術分野】
【０００１】
本考案は容器に関し、特に飲料調製用の容器に関する。
【背景技術】
【０００２】
従来では、例えば図１に示されている熱湯などの液体を収容できる収容空間１１を囲みながら収容空間１１を外部と連通させる開口１２が形成される容器本体１と、開口１２を覆って封止するように収容空間１１と取り外し可能に係合できる容器蓋２とを具えている容器を使用してコーヒーやお茶などの飲料を調製しようとする場合では、容器本体１の収容空間１１に茶葉、コーヒー粉またはティーバッグなどの飲料材料を熱湯と共に入れてから容器蓋２を閉める方法が使用されている。この方法によれば、調整する該飲料の濃度は、飲料材料が収容空間１１内に浸かる時間によって調整される。
【考案の概要】
【考案が解決しようとする課題】
【０００３】
しかし、上記従来の飲料調製方法では、茶葉やコーヒー粉などの飲料材料には水溶性のない成分が残滓として容器本体１内に留まるため、清掃に手間が掛かる。また、吊り糸のあるティーバッグを使用する場合ではバッグ内にある残滓をまとめて取り出せる利点があるが、その吊り糸は容器蓋２の封止を妨げる上、使用中の不注意で吊り糸までも熱湯に落としてしまう恐れもある。なお、飲料の濃度を調整したい場合では、他に時間を精確に計る道具を準備する必要があることもまた不便である。
【０００４】
上記問題点に鑑みて、本考案は、使用済みの飲料材料を便利に取り除くことができる材料保持ケースと、その材料保持ケースを有すると共に、飲料の濃度を便利に調整することができる容器蓋及び、その容器蓋を具える飲料調製容器の提供を目的とする。
【課題を解決するための手段】
【０００５】
上記目的を達成すべく、本考案は、液体を収容できる液体収容空間を囲み、且つ前記液体収容空間と外部の空間とを連通させるメイン開口が形成されている容器本体の前記メイン開口を覆って取り外し可能に封止することができる容器蓋であって、前記メイン開口に収容される材料保持ケースを有し、前記メイン開口を覆って封止できると共に、前記飲料材料によって調製される飲料の濃度を調整するための計時手段が配置されている蓋本体と、前記蓋本体には、前記蓋本体が前記メイン開口を覆って封止する際、前記蓋本体から前記メイン開口を経由して前記液体収容空間内に挿し込まれるように突起し、且つ側面に係合溝が凹設されている第１の係合部が更に形成されており、前記材料保持ケースの前記保持壁には、前記第１の係合部の前記係合溝に嵌め込んで前記第１の係合部と取り外し可能に係合できる第２の係合部が形成されていることを特徴とする容器蓋を提供する。
【０００６】
また、本考案は、液体を収容できる液体収容空間を囲み、且つ前記液体収容空間と外部の空間とを連通させるメイン開口が形成されている容器本体と、前記メイン開口を覆って取り外し可能に封止することができる前記容器蓋と、を具えていることを特徴とする飲料調製容器をも提供する。
【０００７】
更に、本考案は、容器本体を封止する容器蓋に取り外し可能に取り付けて用いるための材料保持ケースであって、飲料を調製するための飲料材料を収容できる材料収容空間を囲む保持壁を具えており、前記保持壁は、前記保持壁の一端部に形成された略円形の周縁及び該略円形の周縁から外側へ張り出すと共に前記容器蓋に形成された係合溝に取り付けられる環状の係合フランジとを備え、多数の網目が形成されていることを特徴とする材料保持ケースをも提供する。
【考案の効果】
【０００８】
上記構成によれば、本考案の容器蓋を用いることにより、前記蓋本体が前記メイン開口を覆って封止する際、前記材料保持ケースを前記蓋本体に取り付けられて前記メイン開口に収容されるため、前記容器蓋に固定した状態で例えば容器を逆に置くことにより飲料材料に前記容器内の熱湯を浴びさせることができ、使用後では前記容器蓋を開けて前記材料保持ケースを前記蓋本体から取り外すことで、飲料材料の残滓をまとめて取り出すことが可能なので、茶葉などの飲料材料が容器内に落ちることなく簡単に清掃することができる。なお、前記計時手段が取り付けられることで、時間を精確に計測して飲料の濃度を好みに合わせて便利に調整するができる。
【図面の簡単な説明】
【０００９】
【図１】従来の飲料調製容器が示されている分解斜視図である。
【図２】本考案の第１の実施形態の飲料調製容器の構成が示されている分解斜視図である。
【図３】本考案の第１の実施形態の飲料調製容器の外部構成が示されている斜視図である。
【図４】本考案の第１の実施形態の飲料調製容器の内部並びに容器蓋５の構成が示されている側面断面図である（正置状態）。
【図５】本考案の第１の実施形態における容器蓋の材料保持ケースが示されている側面断面図である。
【図６】本考案の第１の実施形態の飲料調製容器における容器蓋の計時手段が示されている要部上面図である。
【図７】本考案の第１の実施形態の飲料調製容器の逆置状態が示されている側面断面図である。
【図８】本考案の第１の実施形態の飲料調製容器における容器蓋の材料保持ケースの変化例が示されている分解斜視図である。
【図９】本考案の第２の実施形態の飲料調製容器の傾斜状態が示されている側面断面図である。
【図１０】本考案の第２の実施形態の飲料調製容器の直立状態が示されている側面断面図である。
【考案を実施するための形態】
【００１０】
以下、各図面を参照しながら、本考案の飲料調製容器の第１の実施形態について詳しく説明する。図２は本考案の第１の実施形態の飲料調製容器の構造が示されている分解斜視図であり、図３は本考案の第１の実施形態の飲料調製容器の外部構成が示されている斜視図である。この第１の実施形態の飲料調製容器は、例えば熱湯などの液体を収容できる容器本体４と、容器本体４を取り外し可能に封止することができる容器蓋５とを具えている。
【００１１】
容器本体４は、容器本体４及び容器蓋５全体を支持することができる底端面４１と、底端面４１から延伸すると共に、液体を収容できる液体収容空間４４を囲み、且つ底端面４１の反対側において液体収容空間４４と外部の空間とを連通させるメイン開口４４１が形成される容器壁４２とを有している。なお、液体収容空間４４において容器壁４２の内側には、液体の注入量を使用者に参考させる目盛りを示すとなる水位線４３が凹陥するように形成されている。ちなみに、水位線４３の位置に関しては、底端面４１が下側から容器本体４を支持し、且つ容器本体４に容器蓋５全体が取り付けられてメイン開口４４１を封止している状態において、水位線４３までに注入された液体が容器蓋５と接触しない位置に配置されている。
【００１２】
次いで図４〜図６を参照しながら、本考案の第１の実施形態における容器蓋５の構成について詳しく説明する。図４は本考案の第１の実施形態における飲料調製容器の内部並びに容器蓋５の構成が示されている側面断面図であり、図５は該容器蓋５に用いられる材料保持ケースが示されている側面断面図であり、そして図６は該容器蓋５に配置される計時手段５３（後述）の構成が示されている要部上面図である。
【００１３】
図４に示されるように、容器蓋５は、容器本体４のメイン開口４４１を覆って取り外し可能に封止することができる蓋本体５１と、メイン開口４４１に収容されると共に、飲料を調製するための飲料材料６を収容できる材料保持ケース５４と、蓋本体５１に配置されていると共に、飲料材料６によって調製される飲料の濃度を調整するための計時手段５３と、容器本体４のメイン開口４４１を覆って封止する際、底端面４１の反対側に形成されて容器本体４及び容器蓋５全体を支持することができる頂端面５５を有している。
【００１４】
図２及び図３に示されるように、蓋本体５１には、蓋本体５１が容器本体４のメイン開口４４１を覆って封止する際、蓋本体５１からメイン開口４４１を経由して液体収容空間４４内に挿し込まれるように突起し、且つ側面に係合溝５１２が凹設されている第１の係合部５１１が形成されており、更に、計時手段５３の時間に対応して表示する箇所を目視できるように覗き孔５１３が設けられている。この実施形態において、第１の係合部５１１は、材料保持ケース５４に対応する所定の円弧に沿って延伸し、且つ該円弧の中心角が略１８０°になっており、そして第１の係合部５１１にある係合溝５２２は、第１の係合部５１１の延伸方向である前記円弧の内側の側面に凹設されている。また、第１の係合部５１１が形成する円弧の中心角は、本実施形態に制限されず、１８０°以下の範囲において適宜変更が可能である。
【００１５】
図２、図４、及び図５に示されるように材料保持ケース５４は、ケース本体５４０と、ケース本体５４０を密閉包装する密封材５４７とを有している。ケース本体５４０は、飲料材料６を収容できる材料収容空間５４３を囲むと共に、材料収容空間５４３と連通する材料入れ口５４４及び多数の網目５４２が形成される保持壁５４１と、網状に形成されていると共に、蓋として材料入れ口５４４を覆う網蓋５４６とを含んでいる。
【００１６】
更に保持壁５４１は、一端部が円形の周縁を有し、そして蓋本体５１にある第１の係合部５１１に対応して該円形の周縁から外側へ張り出す環状のフランジ状に形成されと共に、第１の係合部５１１の係合溝５１２に嵌め込んで第１の係合部５１１と取り外し可能に係合できる第２の係合部５４５が形成されている。
【００１７】
図３、図４、及び図６に示されるように、計時手段５３は、回転初期位置から所定の回転方向へ回転操作可能に蓋本体５１に配置されているロータリースイッチ５３１と、蓋本体５１内に配置され且つロータリースイッチ５３１と連動し、ロータリースイッチ５３１に対する前記所定の回転方向への回転操作により巻かれてエネルギーを貯蔵し、該回転操作が終了すると、ロータリースイッチ５３１と共に前記回転初期位置へ徐々に巻き戻す渦巻ばね５３３と、蓋本体５１内に配置されると共に、ロータリースイッチ５３１が前記回転初期位置に戻ると提示音を発する提示音発生機構５３４と、ロータリースイッチ５３１及び渦巻ばね５３３及び提示音発生機構５３４を調整する複数の歯車５３２とを有している。
【００１８】
図３に示されるように、ロータリースイッチ５３１は、蓋本体５１外に露出して回転操作されることができる操作部５３１１と、時間の目盛り５３１３となると共に操作部５３１１と連結して同期して回転し、且つ、蓋本体５１内に配置されている時間表示部５３１２とを有している。更に、時間表示部５３１２が有する時間の目盛り５３１３は、ロータリースイッチ５３１が渦巻ばね５３３の巻き戻しにより、前記回転初期位置に到達するまでの時間に対応する数字の箇所が蓋本体５１の覗き孔５１３に表示される。ちなみに、本実施形態における時間表示部５３１２は、前記回転初期位置において覗き孔５１３に表示される数字が０である。
【００１９】
次に、図４と図６に示されるように提示音発生機構５３４は、蓋本体５１内において回転可能且つ渦巻ばねと連動するように配置されていると共に、外周面に作動ノッチ５３５１が凹設される回転可能なノッチホイール５３５と、打撃されると前記提示音を発生するベル５３６と、蓋本体５１に固定されている固定端５３７１と、固定端５３７１の反対側にあって揺動してベル５３６を打撃することができる打撃端５３７２と、固定端５３７１と打撃端５３７２とを連結する揺動アーム５３７３とを有している打撃部材５３７と、前記ノッチホイール５３５の前記外周面と打撃部材５３７の揺動アーム５３７３との間に介在し、且つロータリースイッチ５３１が渦巻ばね５３３の巻き戻しにより前記回転初期位置に到達すると、ノッチホイール５３３に凹設される作動ノッチ５３５１に嵌め込むように移動することにより、打撃部材５３７が有する揺動アーム５３７３を動かして打撃端をベル５３６に打撃させる作動部材５３８とを有している。
【００２０】
複数の歯車５３２は、互いに連動するロータリースイッチ５３１と渦巻ばね５３３とノッチホイール５３５との間に介在し、ロータリースイッチ５３１と渦巻ばね５３３とノッチホイール５３５との回転速度を調整する効果が得られるように配置構成されている。
【００２１】
続いて図４及び図７も参照しながら、本考案の第１の実施形態の飲料調製容器を使用方法について詳しく説明する。図４に本考案の第１の実施形態の飲料調製容器の正置状態が示されており、図７は本考案の第１の実施形態の飲料調製容器の逆置状態が示されている側面断面図である。
【００２２】
この第１の実施形態の飲料調製容器を使用する際に使用者は、まず材料保持ケース５４を開封して密封材５４７を取り外し、材料収容ケース５４にあるフランジ状の第２の係合部５４５を蓋本体５１にある第１の係合部５１１の係合溝５２２に嵌め込むように、飲料材料６を収容するケース本体５４０と蓋本体５１を係合させる。次に、容器本体４の液体収容空間４４に熱湯などの液体を水位線４３まで注入してから、容器本体４のメイン開口４４１にケース本体５４０が付けた蓋本体５１を閉めて封止する。そうすると図４に示されるように、この状態において材料保持ケース５４内の飲料材料６と前記液体は接触しないようになっている。
【００２３】
続いて蓋本体５１にある覘き孔５１１に所望の時間に対応する数字が表示されるまで、蓋本体５１にあるロータリースイッチ５３１の操作部５３１１を回転操作して該所望のカウントダウン時間を設定した後、図７に示されるように、本考案の飲料調製容器全体を逆さまに置いて頂端面５５に支持させる逆置状態にし、重力によって材料保持ケース５４内の飲料材料６を前記液体に浸らせる。このように操作することにより、計時手段５３にある渦巻ばね５３３の巻き戻しによって覘き孔５１１にある数字が０に戻ると共に、蓋本体５１内部にある提示音発生部材５３４のノッチホイール５３５が前記回転初期位置に戻って打撃部材５３７がベル５３６を打撃して、提示音を発して使用者に知らせる。
【００２４】
それから使用者は、本考案の飲料調製容器全体を図４に示されるように容器本体４の底端面４１に支持させる正置状態に戻すと、飲料となった前記液体が材料保持ケース５４内の飲料材料６から離れるので、使用者は調製する飲料の濃度、即ち飲料材料６が液体に浸かる時間は計時手段５３に設定される時間に対応するように管理することができる。そして使用者は、容器蓋５を開けて使用済みの材料収容ケース５４を蓋本体５１から取り外し、便利に飲料材料６の残滓をケース本体５４０ごと捨てて取り除くことができる。また、網蓋５４６によって飲料材料６の残滓が蓋本体５１側に付着することを防止できる。なお、新たに飲料を調製する場合は、新しい飲料材料６を収容する材料収容ケース５４を使用するとよい。
【００２５】
次いで、図８を参照しながら本考案の材料保持ケース５４′の変化例について詳しく説明する。図８は材料保持ケース５４′の変化例における構造が示されている分解斜視図である。
【００２６】
本変化例における材料保持ケース５４′の構造は、前記実施形態における材料保持ケース５４の構造と共通する部分が多いが、図５の網蓋５４６と密封材５４７に対応する部材がない所が異なっている。この構造によって使用者は所望の飲料材料６を、ケース本体５４０′の材料入れ口５４４′から入れて材料収容空間５４３′に収容させ、そして第２の係合部５４５′を蓋本体５１にある第１の係合部５１１と係合させて飲料を調製できる。前記飲料の調製後では、材料保持ケース５４′を蓋本体５１から取り外して使用済みの飲料材料６を材料保持ケース５４′から取り除き、そして新たに飲料を調製する場合なら、新しい飲料材料６を材料保持ケース５４′に入れて使用することで、材料保持ケース５４′を再利用できる。  
【００２７】
次に、図９と図１０を参照しながら本考案の第２の実施形態の飲料調製容器について詳しく説明する。図９は本考案の第２の実施形態の傾斜状態が示されている側面断面図であり、図１０は本考案の第２の実施形態の直立状態が示されている側面断面図である。
【００２８】
本考案の飲料調製容器の第２の実施形態は、容器本体４の構造が異なっているが、前記第１の実施形態と同様な構成を持つ容器蓋５を使用している。この第２の実施形態におけるメイン開口４４１′を有する容器本体４′は、メイン開口４４１′の奥行き方向における反対側に配置されている第１の支持底面４５と、第１の支持底面４５の周縁から前記奥行き方向においてメイン開口４４１′に近づくと共に前記奥行き方向と直交する幅方向においてメイン開口４４１′から遠ざかる方向へ延伸する第２の支持底面４６と、前記幅方向における第２の支持底面４６の近くに配置されている取っ手４４２と、前記幅方向においてメイン開口４４１′より取っ手４４２から離れた箇所でメイン開口４４１′の隣に形成された飲料注ぎ口４２１とを有している。また、第１の支持底面４５及び第２の支持底面４６のいずれも容器本体４及び前記容器蓋５全体を支持することができるように構成されている。
【００２９】
この構造によれば使用者は、まず熱湯などの液体を容器本体４′の液体収容空間４４′に注入してから、図９に示されるように容器本体４′を倒して第２の支持底面４６が容器本体４′全体を支持する傾斜状態にし、メイン開口４４１′に飲料材料６を収容する材料保持ケース５４が付けた容器蓋５を閉めれば、前記液体が液体収容空間４４′においてメイン開口４４１′から離れた第２の支持底面４６の所に溜まることで、飲料材料６と接触しないようになっている。続いて、計時手段５３を起動させてカウントダウンが始まると使用者は、図１０に示されるように容器本体４′を戻して第１の支持底面４５が容器本体４′全体を支持する直立状態にすると、前記液体がメイン開口４４１′に比較的に近い第１の支持底面４５の所に溜まることで、飲料材料６と接触させて飲料を調製できる。そして調製した前記飲料を飲料注ぎ口４２１から注ぎ出して飲用することができる。
【００３０】
以上の各実施形態によれば、本考案の飲料調製容器は、容器蓋５が、第１の係合部５１１を有する蓋本体５１及び、飲料材料６を収容しながら第１の係合部５１１と取り外し可能に係合できる第２の係合部５４５を有する材料保持ケース５４を具えているので、飲料の調製後で使用済みの飲料材料６を残滓が残らず、材料保持ケース５４と共に取り除くことができる。更に本考案の飲料調製容器は、容器蓋５が計時手段５３を具えているので、便利に時間を計って飲料の濃度を管理することができる。
【００３１】
以上、本考案の好ましい実施形態を説明したが、本考案はこれに限定されるものではなく、その要旨を逸脱しない範囲で種々変更可能である。
【産業上の利用可能性】
【００３２】
上記構成によれば、本考案の飲料調製容器は、容器蓋５が、飲料材料６を収容する取り外し可能の材料保持ケース５４を有しているため、異なる飲料材料６を収容する多種の使い捨て材料保持ケース５４を別売し、または再利用可能な材料保持ケース５４を蓋本体５１と同梱に販売することもできる。なお、容器蓋５は計時装置５３が取り付けられる蓋本体５１が様々な容器本体４に合わせて作成可能であるため、容器蓋５を様々な容器本体４に合わせて別売することも可能である。
【符号の説明】
【００３３】
４        容器本体
４１      底端面
４２      容器壁
４２１    飲料注ぎ口
４３      水位線
４４      液体収容空間
４４１    メイン開口
４４２    取っ手
４５      第１の支持底面
４６      第２の支持底面
５        容器蓋
５１      蓋本体
５１１    第１の係合部
５１２    係合溝
５１３    覗き孔
５３      計時手段
５３１    ロータリースイッチ
５３１１  操作部
５３１２  時間表示部
５３１３  時間の目盛り
５３２    歯車
５３３    渦巻ばね
５３４    提示音発生部材
５３５    ノッチホイール
５３５１  作動ノッチ
５３６    ベル
５３７    打撃部材
５３７１  固定端
５３７２  打撃端
５３７３  揺動アーム
５３８    作動部材
５４      材料保持ケース
５４０    ケース本体
５４１    保持壁
５４２    網目
５４３    材料収容空間
５４４    材料入れ口
５４５    第２の係合部
５４６    網蓋
５４７    密封材
５５      頂端面
６        飲料材料
【図１】
0003205130.tif 000003
【図２】
0003205130.tif 000004
【図３】
0003205130.tif 000005
【図４】
0003205130.tif 000006
【図５】
0003205130.tif 000007
【図６】
0003205130.tif 000008
【図７】
0003205130.tif 000009
【図８】
0003205130.tif 000010
【図９】
0003205130.tif 000011
【図１０】
0003205130.tif 000012